(57)【要約】 【課題】引込み可能な流動体塗布装置の改良技術の提供。【解決手段】改良された引込み可能な流動体塗布装置は、第1と第２の端部の間を連絡する内部流路をもつ外部ボディを備える。塗布手段は、それらの間に配置した弁を伴う、供給タンクと排出タンクとを含む。引込み機構は、外部ボディ内部に塗布手段をスライド可能に支持している。引込み可能な弁は、外部ボディの端部に近接したところに位置する。引込み可能なアクチュエータの第１の押下げがあると、引込み可能な弁が開き、塗布手段を伸ばした状態に動かす。それにより、塗布具の先端を押し下げることができ、供給弁を開き、流動体を供給タンクから塗布タンクへと流すことができ、塗布液を塗布具の先端から分与する。引込み可能なアクチュエータの第２の押下げがあると、塗布手段が引込み状態へと動き、引込み可能な弁を閉じ、塗布具の先端を外部ボディの内部に囲い込む。【選択図】図１
2019526470.tif 000002
【特許請求の範囲】
【請求項１】
次の構成および条件を備えることを特徴とする、改良された、引込み可能な流動体塗布装置。
・第１と第２の端部の間を連絡する内部流路をもつ外部ボディ。
・供給タンクと、排出タンクと、それらのタンクの間に配置した弁とをもつ塗布手段。
・前記外部ボディの内部に、前記塗布手段をスライド可能に支持する引込み機構。
・前記外部ボディの端部に近接したところに位置する、引込み弁。
・引込みアクチュエータの第１の押下げにより、前記引込み弁を開いて前記塗布手段を伸ばした状態に動かし、塗布具の先端部を押し下げることにより、供給弁を開き、塗布液を前記供給タンクから前記排出タンクに流して、前記塗布具の先端部から塗布液を供給すること。
・引込みアクチュエータの第２の押下げにより、前記塗布手段を引込み状態に動かし、しかも、前記引込み弁を閉じて前記外部ボディの内部に前記塗布具の先端部を囲い込むこと。
【請求項２】
前記供給弁を閉じ状態にする力を与える供給弁ばねと、前記塗布手段を引込み状態にする力を与える引込みばねとを備える、請求項１の引込み可能な流動体塗布装置。
【請求項３】
前記引込みアクチュエータは、前記外部ボディの前記第２の端部の近くに配置されている、請求項１の引込み可能な流動体塗布装置。
【請求項４】
前記引込み弁は、前記外部ボディの前記第２の端部の近くに配置されている、請求項１の引込み可能な流動体塗布装置。
【請求項５】
前記引込み弁は、前記塗布手段を通して前記引込みアクチュエータと協力し合う、請求項１の引込み可能な流動体塗布装置。
【請求項６】
次の構成および条件を備えることを特徴とする、改良された、引込み可能な流動体塗布装置。
・第１と第２の端部の間を連絡する内部流路をもつ外部ボディ。
・塗布手段であって、供給タンクおよび排出タンクと、それらのタンクの間に配置した供給弁と、基部端部および先端部をもち、前記塗布手段の内部にスライド可能に配置された塗布具とを含み、さらに、前記塗布具の基部端部が前記供給弁にかみ合い、しかも、前記塗布具の先端部は前記塗布手段から伸びている、塗布手段。
・前記外部ボディの内部に、前記塗布手段をスライド可能に支持する支持部材、および、前記塗布手段を、その塗布手段が前記外部ボディの内部に位置する引込み状態と、前記塗布具の先端部が前記外部ボディの前記第２の端部から伸びる状態とに動かす引込みアクチュエータを含む、引込み機構。
・前記外部ボディの端部に近接したところに位置し、前記引込みアクチュエータと協力し合う、引込み弁であって、次のＡおよびＢを充足する引込み弁。
Ａ  前記引込みアクチュエータの第１の押下げにより、前記引込み弁を開いて前記塗布手段を伸ばした状態に動かし、前記塗布具の先端部を押し下げることにより、前記供給弁を開き、塗布液を前記供給タンクから前記排出タンクに流して、前記塗布具の先端部から塗布液を供給すること。
Ｂ  前記引込みアクチュエータの第２の押下げにより、前記塗布手段を引込み状態に動かし、しかも、前記引込み弁を閉じて前記外部ボディの内部に前記塗布具の先端部を囲い込むこと。
【請求項７】
前記供給弁を閉じ状態にする力を与える供給弁ばねを備える、請求項６の引込み可能な流動体塗布装置。
【請求項８】
前記引込み機構は、前記塗布手段を引込み状態にする力を与える引込みばねを備える、請求項６の引込み可能な流動体塗布装置。
【請求項９】
前記引込みアクチュエータは、前記外部ボディの前記第１の端部の近くに配置されている、請求項６の引込み可能な流動体塗布装置。
【請求項１０】
前記引込み弁は、前記外部ボディの前記第２の端部の近くに配置されている、請求項６の引込み可能な流動体塗布装置。
【請求項１１】
前記引込み弁は、前記塗布具の前記先端部を前記外部ボディの内部に囲い込み、前記塗布具の前記先端部から塗布液の蒸発を禁止する、請求項６の引込み可能な流動体塗布装置。
【請求項１２】
次の構成および条件を備えることを特徴とする、改良された、引込み可能な流動体塗布装置。
・第１と第２の開いた端部の間を連絡する内部流路をもつ外部ボディ。
・塗布手段であって、供給タンクおよび排出タンクと、それらのタンクの間に配置した供給弁と、前記供給弁を閉じ状態にする力を与える供給弁ばねと、基部端部および先端部をもち、前記塗布手段の内部にスライド可能に配置された塗布具とを含み、さらに、前記塗布具の基部端部が前記供給弁にかみ合い、しかも、前記塗布具の先端部は前記塗布手段から伸びている、塗布手段。
・前記外部ボディの内部に、前記塗布手段をスライド可能に支持する支持部材、ならびに、前記外部ボディの前記第１の開いた端部の近くに位置し、前記塗布手段を、その塗布手段が前記外部ボディの内部に位置する引込み状態と、前記塗布具の先端部が前記外部ボディの前記第２の開いた端部から伸びる状態とに動かす引込みアクチュエータ、および、前記塗布手段を引込み状態にする力を与える引込みばねを含む、引込み機構。
・前記外部ボディの内部の前記第２の開いた端部に近接したところに位置し、前記塗布手段を通して前記引込みアクチュエータと協力し合う、引込み弁であって、次のＡおよびＢを充足する引込み弁。
Ａ  前記引込みアクチュエータの第１の押下げにより、前記引込み弁を開いて前記塗布手段を伸ばした状態に動かし、前記塗布具の先端部を押し下げることにより、前記供給弁を開き、塗布液を前記供給タンクから前記排出タンクに流して、前記塗布具の先端部から塗布液を供給すること。
Ｂ  引込みアクチュエータの第２の押下げにより、前記塗布手段を引込み状態に動かし、しかも、前記引込み弁を閉じて前記外部ボディの内部の前記塗布具の先端部を囲い込み、前記塗布具の前記先端部から塗布液の蒸発を禁止すること。
【請求項１３】
前記塗布手段は、第１および第２の端部の間に伸びる内部ボディを備え、その内部ボディの前記第１端部は前記塗布具を支え、前記内部ボディの前記第１の端部に前記引込みアクチュエータが固定される、請求項１２の引込み可能な流動体塗布装置。
【請求項１４】
前記塗布手段は、第１および第２の端部の間に伸びる内部ボディを備え、その内部ボディの前記第１の端部に前記引込みアクチュエータが固定され、前記内部ボディの前記第２の端部は前記塗布具を支え、
さらに、前記塗布手段は、前記供給弁、前記供給弁ばね、前記排出タンク、および前記塗布具を備える供給弁サブアセンブリ、ならびに、前記内部ボディの内部に前記供給弁サブアセンブリを固定し、その供給弁サブサブアセンブリと前記内部ボディの前記第２の端部との間に前記供給タンクを定めるインターロックを備える、請求項１２の引込み可能な流動体塗布装置。
【発明の詳細な説明】
【技術分野】
【０００１】
この発明は、流動体の供給技術に関し、より詳しくは、表面にマークを付け、書き、あるいは流動体を供給するための引込み可能な流動体塗布装置の改良技術に関する。
【背景技術】
【０００２】
流動体を塗布あるいは供給するために、いろいろなタイプの流動体塗布装置が考え出されている。それらの流動体塗布装置のいくつかは、塗布すべき流動体を供給し、インク、染料あるいは塗料で書くために利用される。そのような装置として、万年筆、ボールペン、フェルトペン、その他の同様なものがある。
【０００３】
今までのこのような流動体塗布装置は、それが大変便利であることから、広く受け入れられていた。そして、今までの流動体塗布装置は、多くの流動体を保持することができ、しかも、使用者の意思によって、流動体容器から装置へと塗布すべき流動体を補充することができる。さらにまた、流動体塗布装置は、塗料、染料その他の同種の書くための流動体だけでなく、化学薬品、香水、潤滑剤などを含むいろいろな流動体を供給あるいは分与することができる。
【０００４】
今までは、流動体塗布装置のデザインを改良することに努力が図られている。流動体塗布装置の改良デザインは、流動体供給機構に集中しており、表面に塗布すべき流動体を供給するため、流動体容器あるいはコンテナから塗布装置の先までの液の連絡について改良を図るものであった。流動体塗布装置の一例においては、流動体塗布装置を逆さにし、装置先端の繊維を塗布すべき表面に押し付けたときにだけ、流動体が装置先端の繊維に流れ込む。
【０００５】
マーシュの米国特許1,857,467号は、メインタンクを含む万年筆タイプのマーカーを示し、そのメインタンクには、開口部をもつ端部壁があり、流動体を入れられるようになっている。補助タンクは、開口部を通して流動体を受け入れるようになっており、開口部には、排出口を開閉するバルブがある。バルブに連結したステムが、開口部を通り抜けるように伸びている。バルブが閉じているとき、流動体はメインタンクから補助タンクへと入る。そして、バルが開状態のとき、メインタンクから補助タンクへの流動体の流れは妨げられる。ばねによって、バルブは、バルブに付属した装置先端と一緒に閉じるように保持される。
【０００６】
ウイットの米国特許2,024,413号は、細長い中空のハンドルを含む万年筆タイプのブラシを示し、ハンドルが流動体タンクを作っている。細長い円錐台形状のバルブシートがある、ハンドルの先端にはキャップがかぶさり、ハンドルの反対の端部にはふたキャップがある。バルブシートの中には、細長い円錐形のバルブが入り込んでいる。バルブの後部には、内部に突出したステムが作られている。バルブの先端には、外側に出っ張ったシャンクがある。ステムの端のクロスヘッドは、中空のハンドルの内側面にスライド可能にはまっている。ステムの周りには、収縮性のコイルばねがあり、そのばねの一方の端部はステムに固定され、他方の端部は先端のキャップとハンドルとの間の所定位置に固定されている。シャンク上のブラシヘッド、およびブラシヘッド上に形作った円錐形のデフレクターは、バルブに向かい合うように配置され、流動体を受け入れるようになっている。
【０００７】
ガーヴィーの米国特許2,210,662号は、筆記のための流動体用のタンクと、そのタンクから流動体を排出することを制御するため、異なる方向に傾くバルブとを備える、筆記用具を示す。傾むけることができるチップホルダーは一体に結合されており、内部ねじをもつチップホルダーを伴うバルブから伸びている。筆記用チップは、屈曲性で吸収性の材料から作られ、内部ねじにねじ結合し、チップホルダーの下部から突き出ている。その筆記用チップは、チップホルダーのチップの独立した回転に応じて、ねじに沿って縦に調節することができる。チップホルダーの回転および傾き度合いを制限する手段があり、一体となったバルブとチップホルダーと一緒に傾き、傾きに協同して固定される。
【０００８】
ハーブの米国特許2,330,053号は、流動体を入れるタンク、筆記用ペン先、およびペン先に圧を加える手段を備える万年筆タイプの筆記具を示す。圧を加える手段は、筆記に必要な圧により、タンクからペン先に流動体を押し出すことができる。
【０００９】
ウォードの米国特許3,484,611号は、側壁がフレキシブルな構造の管部材をもつ流動体塗布装置を示す。多孔性の塗布先端およびバルブ手段によって、管部材から塗布先端への流動体の流れを制御する。
【００１０】
ミカレフの米国特許3,484,027号は、コンテナから流動体を供給するバルブクロ―ジュアを示す。そのコンテナは、コンテナの一端に付属するキャップ部材を備え、コンテナの中央位置には、コンテナの内部に向かって伸びるボス部材がある。ボス部材には開口があり、ボス部材から離れた位置にフランジ部材がある。フランジ部材は、コンテナの口の内部にはまり、密封するようになっている。バルブステムを含むバルブ部材がボス部材に回転可能に取り付けられている。バルブステムには、ボス部材の開口に連絡する半径方向および軸方向の開口がある。半径方向の開口によって、バルブクロ―ジュアを選択的に開いたり閉じたりすることができる。弾力性のある半径方向の延長部が、バルブステムの一端から伸びている。その延長部は、半径方向に圧縮可能な部分であり、それにより、バルブステム部材とボス部材とを組み付けることができる。半径方向に延長した部分は、ボス部材と協力し合って、バルブとボス部材との分解を防いでいる。そこで、弾力性のある延長部は、半円形である。
【００１１】
クレマーほかの米国特許4,685,820号は、流動体あるいは流動性の個体などの塗布材料を表面に塗布するための、塗布装置の改良技術を示している。その装置には、材料コンテナ、および表面に塗布材料を塗布するための表面塗布手段がある。材料コンテナと表面塗布手段との間にバルブが配置され、バルブが開き状態のとき、表面塗布手段に対する塗布材料の流れを許し、バルブが閉じ状態のときには、その流れを禁止する。バルブには、内部空間をもつバルブクロ―ジュアがある。バルブクロ―ジュアの第１の端部は材料コンテナに連絡し、第２の端部はその中に表面塗布手段を定める。バルブエレメントは末端の部分をもつ。その末端の部分は、バルブエレメントが閉じ状態にあるとき、バルブクロ―ジュアの開口を通って伸びる。バルブエレメントの末端部分を表面に向かって押すとき、表面塗布手段の開口と相協力することにより、リング状の開口を作る。そのリング状の開口は、塗布材料を表面に分散し塗布するための流れ口である。クレマーほかの米国特許4,685,820号は、流動体塗布装置の技術に対し、意義のある一歩を進めた。
【００１２】
クレマーほかの米国特許4,792,252号は、たとえば、塗料、香水、化学薬品、コーティング剤あるいは同様のものを表面に供給し、筆記、マーキング、あるいは塗装をするための、流動体塗布装置を示す。流動体塗布装置は、流動体用のコンテナ、および塗布供給機構を備える。塗布供給機構は、バルブを含む内部サブアセンブリと、表面塗布手段を含む外部サブアセンブリとを備える。バルブは、コンテナから表面塗布手段への流動体の流れを規制する。塗布装置のバルブは、表面塗布手段の押下げ、あるいはバルブアクチュエータの押下げに応じて開き、コンテナから表面塗布手段への流動体の流れを許す。流動体塗布装置には、改良された密封部材が加わっており、その密封部材によって、表面塗布手段の側面の密封をし、その側面部分に沿う流れを低減することができる。表面塗布手段は、繊維チップ、ブラシあるいはその他の同様な形態にすることができる。塗布供給機構については、コンテナに対して独立に構成することができる。バルブシールは、フレキシブルに支持された管状の延長部をもち、その延長部によって、表面塗布手段の内側端を保持し、表面塗布手段の外側端が横に動くことに対し、流動体を密封する。
【００１３】
福岡ほかの米国特許4,976,564号は、流動体を塗布する用具を示し、その用具はコンテナを備えるが、コンテナの前端には開口、コンテナの前方端に取り付けた先筒がある。中空の収納部材には、内部にチャンバがあり、そのチャンバの前後に前連絡穴および後連絡穴がある。それらの前後の連絡穴により、チャンバをコンテナの内部および先筒の内部にそれぞれ連絡することができる。流動体供給部材が、チャンバ内にあり、その軸方向に動くことができる。先筒の内部には、ばね力を受けた端バルブがある。端バルブは、先筒の前方端の開口を閉じ、先筒の内部に流動体保持部分を与える。毛管作用のある塗布手段は、先筒の前方端の開口を貫通して、端バルブの前端に固定されている。
【００１４】
太田の米国特許4,984,923号は、中央のシリンダーに挿入した作動部材を示し、その作動部材は軸心方向に前進および後退するように移動可能である。その中央のシリンダーの前部分に、バルブ機構があり、中央のシリンダーの後部分に貯えた塗布すべき流動体を定めた位置に供給する。バルブ機構は、弁孔をもつ弁座と、弁孔を開閉する弁エレメントを含む弁スピンドルと、弁スピンドルを前進および後退させる伸縮部材とを備える。伸縮部材は、彎曲部分の曲がりに応じて、それぞれ軸方向に長くなったり、短くなったりする。中央のシリンダー後端にある作動エレメントが、作動部材を前方に動かし、彎曲アームの彎曲部分を押すと、伸縮部材は長くなる。弁スピンドルが後方に動くとき、弁孔が開いて塗布すべき流動体を定めた位置に供給する。
【００１５】
アサドほかの米国特許4,993,859号は、流動体コンテナのネックに挿入する弁体を含む流動体塗布装置を示し、その弁体の中に管を定めている。弁体には、弾力性のウェブが一体に形成され、弁体の管を横切るように伸びている。弁体の一方の端には弁座がある。弾力性のウェブに弁部材が固定され、弁体の端にある弁座に弁が着座するような力を与えている。コーティング部材は、弁体の反対の端に据えられている。弁部材の弁ステムは、コーティング部材を外部の表面に押し付けたとき、下に曲がるような近接した位置にある。それにより、弁を開いて管を通して流動体をコーティング部材上に流すことができる。
【００１６】
横須賀ほかの米国特許4,913,175号は、流動体塗布チップアセンブリを示し、そのチップアセンブリでは、流動体塗布部材を押すと、弁が開いて流動体を流動体塗布部材に流すようになっている。流動体塗布部材は、複数のリブを含むプラスチック部材であり、複数のリブは、軸方向のコアから半径方向および軸方向に伸びており、それにより、それらのリブ間に軸方向の流動体通路を作るようになっている。弁とチップアセンブリのシリンダーとの間に門がある。門には孔があり、その孔の径は流動体塗布部材の外径よりも少し大きくなっており、流動体の流れを制御することができる。
【００１７】
グロスほかの米国特許6,513,681号は、スプレープラグとキャップを含み、それらが協同してスプレープラグ中の通路を閉じるスプレー供給クロ―ジュアを示す。スプレープラグには、製品を汲み出し管からスプレープラグを通して運ぶ、一組の内部通路と、エアを容器のヘッド空間から運ぶ、一組の外部通路がある。内部通路は内部の流れ空間に連絡し、外部通路は外部の流れ空間に連絡している。キャップは、スプレープラグと協同し、外部チャンバと内部チャンバとを定める。それらのチャンバは、キャップを閉じた状態において互いに隔離されており、それにより、エアと製品とが混じらない。キャップを開き状態に動かすと、キャップチャンバが互いに連絡し、容器を押しつぶすと、製品／エアの混合物がクロ―ジュア内に作られる。中央のスプレープラグポストの上部部分は、キャップが開いた状態のとき、キャップの内壁と一緒に少なくとも一つの絞り通路を作る。エア／製品の混合物がおり通路を通って流れるとき、スプレーミストとなって、供給通路から提供される。供給通路は、キャップに作られた少なくとも一つの供給オリフィスであり、そのオリフィスは絞り通路に連絡している。別の例では、スプレープラグにただ一組の内部通路があり、その内部通路が容器のヘッド空間に連絡している。汲み出し管の基部端から、一連の汲み出し管出口通路が伸びている。複数の汲み出し管の端は、スプレープラグから伸びるリブにはまっている。容器を押しつぶしキャップを開くと、製品は、汲み出し管から内部通路に運ばれ、ヘッド空間からのエアと混合される。
【００１８】
ゲレットの米国特許6,634,821号は、たとえば化粧品のような製品を供給するための装置およびシステムを示している。装置には、製品を収容する第１の仕切り室と、その第１の仕切り室に対して、少なくとも一つの供給オリフィスを通して流れが連絡する第２の仕切り室とがある。第２の仕切り室は、開口をもち、その開口はクロ―ジュアエレメントによって着脱可能に閉じられる。第2の仕切り室は供給具用のハウジングであり、供給具は製品に対して不溶性である。供給具は、弾力的に圧縮可能な多孔性の部材に支えられている。その多孔性の部材は、供給オリフィスと流れを連絡する。
【００１９】
デラゲの米国特許6,773,193号は、特には化粧品やケア製品などの物質を入れ、供給するための装置を示す。入れ物の最上部に供給具がある。その供給具は、供給する物質を浸透することができ、入れ物から得られる物質を与える内部面をもつ。供給具の下面近くには、中間のタンクを形作るエレメントがある。装置をヘッドアップ状態から上下にひっくり返し、続いてヘッドアップ状態に戻すとき、中間のタンクは、入れ物とずっと連絡しており、そのため、所定量の物質を保持することに適している。中間のタンクを形作るエレメントは、そのように保持した物質を、少なくとも装置の特定の使用状態において、供給具に与えることができるように配されている。
【００２０】
コルバーンほかの米国特許6,817,801号は、自動車に見られるようないろいろな内部表面に処理液を塗布するための塗布装置を示す。その塗布装置は、下部散布プレートをもつハウジングを含む塗布ヘッドと、その塗布ヘッドに取り付けた塗布パッドとによって組み立てられている。そして、その塗布装置は、協同する処理液タンクを補充的に、かつ取外し可能に受け入れるような構成である。
【００２１】
西谷ほかの米国特許6,817,802号は、ペン芯を軸方向に押すことに応じて、インク室のインクをペン芯に供給する筆記具を示す。筆記具は、インク室とペン芯との間に弁座がある。弁体は、閉じ状態と開き状態とに選択的に作動する。閉じ状態において、弁体は弁座に当たり、ペン芯をインク室から遮断し、また、開き状態において、弁体は弁座から離れ、ペン芯とインク室とを連絡する。押しばねは、弁体に対しペン軸の先端側に向かう力を与え、保持部材が弁体を保持する。そして、押しばねによって、弁体を軸方向に動かす。保持部材には、その内部空間をインク室に連絡する連絡通路がある。弁体は流路制御部分をもち、開き状態のときよりも閉じ状態のときに連絡通路を絞る。この筆記具によれば、弁体の周辺における顔料の堆積を低減し、弁体の作動不良を防ぐことができる。
【００２２】
コルバーンほかの米国特許6,945,722号は、自動車のタイヤに処理液を塗布するためのタイヤ塗布装置を示す。その塗布装置は、下部散布プレートをもつハウジングを含む塗布ヘッドと、その塗布ヘッドに取り付けた塗布パッドとによって組み立てられている。そして、その塗布装置は、協同する処理液タンクを補充的に、かつ取外し可能に受け入れるような構成である。
【００２３】
レジアニの米国特許7,101,105号は、化粧用および薬用の流動製品のためのコンテナ‐塗布装置を示す。塗布装置は、開口に近接するよう配置した海綿状マトリックス体を備える。開口は、コンテナ本体の外部から作動することができるバルブエレメントによって制御する。バルブエレメントは、キャップ体を備えるが、そのキャップ体を回転作動することにより、開口を閉じ状態から開き状態、またその逆に変える。
【００２４】
シーバウトの米国特許7,114,871号は、製品、特には化粧用の製品のための容器および塗布装置を示す。塗布装置は、製品をきれいにするための入れ物を含み、その入れ物には、縦軸および通路がある。入れ物には、また、多孔性あるいは繊維状の塗布エレメントがあり、その塗布エレメントは入れ物の中の製品と通路を通して連絡することができる。塗布装置は、さらに、通路を開閉するための分与エレメントを含み、縦軸周りに回転する可動性の部分が、通路を閉じる第1の位置と、通路を開く第2の位置との間に動く。塗布装置には、さらに、分与エレメントをふさぐ閉じキャップがある。
【００２５】
クレマーほかの米国特許4,685,820号および米国特許4,792,252号、ならびに米国特許6,641,320号は、流動体塗布装置から塗布チップが取れることを抑える、改良した流動体塗布装置を提供している。
【００２６】
バロットの米国特許8,753,027号は、塗布液容器から塗布液を分与する、液塗布装置を示す。塗布液容器には、容器を密封するふたがある。ふたには密封面があり、ふたの内部にバルブが配置されている。ふたの内部には、ふたに設けた段差の間にばねがある。ばねは、ふたの密封面にバルブを当て、塗布液容器から塗布液が流れることを禁止している。ふたには通路があり、通路内には塗布チップがスライド可能にはまり込んでいる。塗布チップは、バルブに当たっており、その塗布チップを押し下げることにより、ふたの密封面からバルブを離し、塗布液を塗布液容器から塗布チップ側に流す。
【００２７】
バロットの米国特許8,979,411号は、液容器と、バルブエレメントをもつ液塗布機構とを備える液塗布装置を示す。液塗布機構は、塗布チップを軸方向に動かすことにより、バルブエレメントを開き状態にし、塗布チップによって表面に塗布液を与えることができる。改良により、ふたソケットをもつ塗布キャップを備える。ふたソケットによって、容器の周りの縁に塗布ふたを結合する。塗布ふたに対してシールドを取り付けるようにすれば、塗布チップと操作する者が握る液容器との間を保護することができる。
【００２８】
バロットの米国特許9,211,756号は、容器内の液を表面に塗布するための液塗布装置を示す。孔を定めるふたが、容器に取り付けられている。ふたの支持部分に、密封部材がはまっている。密封部材は、筒状のスリーブであり、その内部に塗布具をスライド可能に配置している。塗布具には、中空の内部と、外側部分に定まる塗布チップとがある。バイアス部材が、ふたと塗布具との間に作用し、密封部材と塗布具とを密封する。塗布具の外側部分を表面に向けて降下させると、塗布具が密封部材から離れ、容器の液が塗布チップ側に流れることができる。
【００２９】
バロットほかの米国特許公開2015/0251484-A1は、容器内の塗布液を供給するための液塗布装置を示す。液塗布装置は、内部通路をもつふたを備え、そのふたによって、容器を密封する。ふたの内部通路内に供給機構がある。通路に位置する塗布具はバルブエレメントに当たり、塗布具を押し下げることにより、バルブエレメントを密閉面から追い出し、液容器内の塗布液を塗布具の中に供給することができる。バルブエレメントから捕獲部材が塗布具をつかむように伸び、塗布具が通路から外れないようにしている。
【００３０】
バロットほかの米国特許9,346,072号は、容器内の液を表面に塗布するための精密な液塗布装置を示す。精密な液塗布装置は、末端オリフィスおよび弁座を定めるふたを備える。弁には、末端オリフィスを通して伸びる精密な塗布チップがあり、そしてまた、弁座を密封するバルブシールがある。精密な塗布チップを表面に押し下げると、バルブシールが密封面から離れ、塗布チップと末端オリフィスとの間にリング状の通路を作り、それにより、塗布液を表面に流すことができる。バルブストップが止め壁と相協力して、弁の動きを制限する。その制限により、精密な塗布チップと末端オリフィスとの間の通路の断面積を制御し、精密な塗布チップをふたの第２端を越えて伸ばすことができる。この精密な液塗布装置は、すり傷のある表面に塗料を塗布することに好適であり、すり傷の外に余分な塗料を供給することなく、表面を塗布することができる。
【００３１】
クレマーやバロットの発明は、いろいろな適用分野で商業的な成功をもたらしたが、それらのクレマーやバロットの発明では、液塗布装置から保護キャップを取り外すために二本の手が必要である。その後には、液塗布装置を片手で操作することができる。
【００３２】
この発明の目的は、クレマーやバロットの発明を改良し、液塗布装置から保護キャップを取り外すのに両手を必要としない、引込み可能な流動体塗布装置を提供することにある。
【００３３】
この発明の他の目的は、たとえば、潤滑剤、塗料、着色剤、はんだフラックスなどのいろいろな液の供給に適用することができる、流動体塗布装置を提供することにある。
【００３４】
以上には、この発明に関連する目的のいくつかのあらましを述べた。それらの目的については、この発明に関連する特徴や応用を示す実例を通して理解することができる。この発明の考え方の範囲でこの発明を変形することにより、その他の多くの利点を得ることができる。したがって、この発明のさらなる目的については、以下に述べる発明の概要および好ましい実施例を含む詳しい説明を参照することにより、より深く理解することができるであろう。
【発明の概要】
【００３５】
この発明は、付属の図面に示す具体的な実施例とともに、添付のクレームによって定まる。この発明のあらましを述べるとすれば、この発明は、改良された引込み可能な流動体塗布装置であり、第1と第２の端部の間を連絡する内部流路をもつ外部ボディを備える。塗布手段は、それらの間に配置した弁を伴う、供給タンクと排出タンクとを含む。引込み機構は、外部ボディ内部に塗布手段をスライド可能に支持している。
【００３６】
引込み可能な弁は、外部ボディの端部に近接したところに位置する。引込み可能なアクチュエータの第１の押下げがあると、引込み可能な弁が開き、塗布手段を伸ばした状態に動かす。それにより、塗布具の先端を押し下げることができ、供給弁を開き、流動体を供給タンクから塗布タンクへと流すことができ、塗布液を塗布具の先端から分与する。引込み可能なアクチュエータの第２の押下げがあると、塗布手段が引込み状態へと動き、引込み可能な弁を閉じ、塗布具の先端を外部ボディの内部に囲い込む。
【００３７】
この発明の一つの実施例では、供給弁のばねが供給弁を閉じ状態にする力を与え、引込みばねが塗布手段を引込み状態にする力を与える。好ましくは、引込み可能な弁を外部ボディの第2端部に近接したところに配置し、塗布手段を通して引込みアクチュエータと協力するようにするのが良い。引込み可能な弁は、塗布具の先端を外部ボディの内部に囲い込み、塗布具の先端から塗布液が蒸発しないようにする。引込み可能なアクチュエータは、外部ボディの第１端部に近接したところに位置する。
【００３８】
この発明の他の実施例において、塗布手段は、第1端部と第2端部間に広がる内部ボディ備える。内部ボディの第１端部が、塗布具を支える。引込み可能なアクチュエータは、内部ボディの第１端部に固定される。供給弁サブアセンブリは、供給弁、供給弁ばね、排出タンク、および塗布具を備える。そのような供給弁サブアセンブリは、内部ボディの内部に固定されており、供給弁サブアセンブリと内部ボディの第２端部との間に供給タンクを定めている。
【００３９】
以上では、この発明を広く概観した。この発明に関連する大切な特徴については、引き続く詳しい説明によって、より深く理解することができるであろう。それにより、この発明の技術分野への貢献を充分に評価することができるであろう。この発明の追加の特徴について、以下に述べるが、それらもこの発明のものである。また、いわゆる当業者であれば、この発明の考え方や具体的な実施例を変更することにより、この発明の同様な目的を達成することができることは自明である。そのような等価の構成は、この発明の考え方の範囲から外れることはない。
【図面の簡単な説明】
【００４０】
この発明をより完全に理解するために、以下の説明および添付の図面を参照されたい。各図面の内容は、次のとおりである。なお、図中、同様な部分については、同様の符号を付けている。
【図１】この発明の引込み可能な流動体塗布装置を上から見た図である。
【図２】この発明の引込み可能な流動体塗布装置を側面から見た図である。
【図３】図２の３−３線に沿って見た図である。
【図４】図１の４−４線に沿う断面図である。
【図５】図４の外部ボディを示す図である。
【図６】図５に示す引込み可能な流動体塗布装置の内部にスライド可能に取り付けた塗布手段の側面図である。
【図７】図６のものの側断面図である。
【図８】図7の一部を示す側断面図であり、塗布手段の内部ボディを示す。
【図９】図８の一部を示す側断面図であり、供給弁サブアセンブリを示す。
【図１０】図８の一部を拡大して示す側断面図であり、閉じ状態の供給弁サブアセンブリを示す。
【図１１】図１０と同様な図であり、開き状態の供給弁サブアセンブリを示す。
【図１２】図2の引込み可能な流動体塗布装置の側面図であり、引込み可能な弁は閉じ状態にある。
【図１３】図１2と同様の側面図であり、引込み可能な弁は開き状態にある。
【図１４】図１３と同様の側面図であり、引込み可能な弁は開き状態で、塗布手段は伸びた状態にある。
【図１５】図１４と同様の側面図であり、引込み可能な弁は開き状態で、塗布手段は伸びた状態で、塗布具が押下げ状態にあって、塗布具の先端から液を塗布することができる。
【図１６】引込み可能な流動体塗布装置の側断面図であり、引込み可能な弁は閉じ状態にあって、供給タンクから液の流れを禁止している。
【図１７】図１６と同様な側断面図であり、引込み可能な弁は開き状態にあって、供給タンクから排出タンクに液を流し、塗布具の先端から塗布液を分与することができる。
【図１８】図５の引込み可能な流動体塗布装置の内部にあるスライド可能な塗布手段の第2の実施例を示す側面図である。
【図１９】図１８のものの側断面図である。
【図２０】図１９の一部を示す側断面図であり、塗布手段の内部ボディを示す。
【図２１】図１９の一部を拡大して示す側断面図であり、供給弁が閉じ状態にある。
【図２２】図２１と同様な図であり、供給弁が開き状態にある。
【図２３】図５の引込み可能な流動体塗布装置の内部にあるスライド可能な塗布手段の第３の実施例を示す側面図である。
【図２４】図２３のものの側断面図である。
【図２５】図２４の一部を示す側断面図であり、塗布手段の内部ボディを示す。
【図２６】図２４の一部を拡大して示す側断面図であり、供給弁が閉じ状態にある。
【図２７】図２６と同様な図であり、供給弁が開き状態にある。
【発明を実施するための形態】
【００４１】
図１〜図５は、この発明による引込み可能な流動体塗布装置５を示す。引込み可能な流動体塗布装置５は、塗布液6を表面に塗布することに適している。引込み可能な流動体塗布装置５は、外部ボディ１０と、供給弁３０を含む液塗布手段20と、引込み機構４０と、引込み可能な弁アセンブリ５０とを備える。
【００４２】
この引込み可能な流動体塗布装置５が今までの引込み可能なペン、マーカーその他と異なることは、引込み可能な流動体塗布装置５からの塗布液の流れを制御する供給弁３０を加えた点である。供給弁30によって、たとえば塗料、はんだフラックス、潤滑剤、および今までのペンやマーカーでは塗布することができない液など、幅広い塗布液を塗布し分与することができる。
【００４３】
引込み可能な流動体塗布装置５は、第１および第2の開放した端部１１，１２を含む外部ボディ１０を備える。内部通路１３は、それらの端部１１，１２間を連絡する。中央開口１６をもつリング状の止め壁１４は、第1の端部１１と第2の端部12との間にある。
【００４４】
図６〜図１１は、引込み可能な流動体塗布装置５がもつ液塗布手段２０を示す。液塗布手段２０は、第１端部６１と第２端部６２間に伸びる内部ボディ６０を備える。側壁６３によって、第１端部６１と第２端部６２間を連絡する内部通路６４が定まる。内部ボディ６０は、第１端部６１および第２端部６２に隣接する部分に、第１端部部分６１Ａおよび第２端部部分６２Ａを定める。それらの第１端部部分６１Ａと第２端部部分６２Ａとの間に、中間部分６３Ａが位置する。
【００４５】
内部ボディ６０の第１端部６１に近いところに、側壁６３の外側表面から広がるようにして、リング状の大きな外部突起６５がある。側壁６３の内側表面には、リング状の内部突起６６が広がる。中間部分６３Ａの内側表面６４には、肩６８が作られている。その肩６８の機能については、後で詳しく説明する。内部ボディ６０の第２端部６２に近いところに、側壁６３の外側表面から広がるようにして、リング状の小さな外部突起６９がある。
【００４６】
内部ボディ６０の第１端部部分６１Ａは、液塗布具８０をスライド可能に受け入れるようになっている。内部ボディ６０の第２端部部分６２Ａは、供給タンク７０内に塗布液6を貯えるようになっている。内部ボディ６０の中間部分６３Ａは、供給弁３０を受け入れるようになっている。インターロック部材７２が、供給弁３０を内部ボディ６０の内部に確保する。供給弁３０は、排出タンク７４を定める。
【００４７】
図９が最もよく示すように、塗布具８０は、基部側の端部８１と先端側の端部８２との間を伸びている。塗布具８０は、一般的に円柱形状の部材であり、基部側の端部８１と先端側の端部８２との間に円柱径８３を定める。塗布具８０は、フェルト繊維、固形体あるいはブラシ構造で形作ることができる。
【００４８】
この発明のこの実施例では、たとえばポリエステルや同様な材料であって、原形を保つことができる類似の特性をもつものによって、強く固めた形態で作る。その形態は、塗布液６で湿るが、毛管作用により塗布液６が基部側の端部８１から先端側の端部８２へと通過できるような形態である。それとは別に、塗布具８０をその外側表面に沿って縦に伸びる複数の溝をもつ無孔性の材料で構成することもできる。
【００４９】
図９〜図１１は、引込み可能な流動体塗布装置５の液供給について示す。供給弁３０は、弁体９０と、弁エレメント１００と、弁シール１１０と、ばね１２０と、管状シール１３０とを備える。弁体９０、弁エレメント１００、弁シール１１０、ばね１２０、および管状シール１３０が、サブアセンブリ１４０を形作る。
【００５０】
弁体９０は、円筒形の側壁９３として、弁体の内側端部９１と弁体の外側端部９２との間に伸びる。弁体の内側端部９１は、口をもつ面を形作り、それに対し、弁体の外側端部９２は、開口を形作っている。弁体９０の外側端部９２上に、弁体の肩９４が形作られている。弁体の肩９４は、リング状の内部突起６６にかかわり合うことによって、内部ボディ６０に対し弁体９０を添えている。
【００５１】
弁体９０の外側端部９２には、内部ボディ凹み９７がある。弁体９０には、その弁体９０の内側端部９１の内部にホール９９がある。そのホール９９と、弁体９０の内側端部９１の口とによって、塗布液６が弁体90の中へと流れるのを助長する。
【００５２】
弁エレメント１００は、弁エレメント内側端部１０１と弁エレメント外側端部１０２との間に伸びる。弁エレメント１００は、取囲み側壁１０３を定め、その側壁が朝顔形の肩部分１０８を支持している。朝顔形の肩部分１０８の外径は、弁体９０の内径よりも小さい。それにより、弁エレメント１００は、弁体９０の内部を動くことができる。
【００５３】
弁シール１１０は、弁シール内側端部１１１と弁シール外側端部１１２とを含む円筒形の側壁１１３を備える。その側壁１１３の端はシール面１１５である。弁シール１１０は、弁エレメント１００およびばね１２０を伴う弁体９０の中に、押し込まれてはまっている。弁体９０の内部ボディ凹み９７の中に、弁シール１１０のリング状の膨らみ１１６が入ることによって、弁シール１１０は弁体９０の内部にはまり合う。
【００５４】
弁エレメント１００の朝顔形の肩部分１０８の外径は、弁体９０の内径よりも小さい。それにより、弁エレメント１００は、弁体９０の中を動くことができる。弁エレメント１００の朝顔形の肩部分１０８の外径は、弁シール１１０の内側端部１１１の内径よりも大きい。それにより、弁エレメント１００は、シール面１１５と一緒になってシールを形作る。
【００５５】
管状シール１３０は、弁シールから一体成形品として伸びる。管状シール１３０は、液塗布具８０の円柱の径８３をもつ滑りシールを与える。塗布具80の基部の端部８１は、弁エレメント１００の外側端部１０２に直接はまり合う。
【００５６】
塗布具８０の円柱の径８３と管状シール１３０との間のスペースは、塗布液６を塗布具８０の基部の端部８１に供給するための排出タンク７４を定める。
【００５７】
図１０は、供給ばね１２０によって閉じ状態の力を与えられた供給弁３０を示す。供給弁３０が閉じ状態にあるとき、弁エレメント１００の朝顔形の肩部分１０８は、供給ばね１２０の力によって、弁シール１１０の内側端部１１１に着座している。朝顔形の肩部分１０８が弁シール１１０の内側端部１１１に着座することにより、塗布液６が供給タンク７０から排出タンク７４へと流れることがない。
【００５８】
図１１は、塗布具８０の押下げに応じて開き状態にある供給弁３０を示す。表面に対して塗布具８０を押し下げると、供給ばね１２０が圧縮され、弁エレメント１００の朝顔形の肩部分１０８が弁シールの内側端部１１１から動き、塗布液６が供給タンク７０から排出タンク７４へと流れる。塗布液６は、毛管作用により、基部の端部８１から塗布具８０の先端側の端部８２へと移動する。塗布具８０にある塗布液６は、マーク付け、塗りあるいはブラシの動きにより、表面に移る。
【００５９】
図４に戻ると、リング状の止め壁14の中央開口１６を含む引込み機構４０は、外部ボディ１０の内部に液塗布手段２０をスライド可能に支持している。液塗布手段２０は、外部ボディ１０の第１端部を通して外部ボディ１０の内部通路１３内に導入される。
【００６０】
引込み機構４０は、二安定のカムシステム４５を含み、塗布具を引込み状態か伸ばした状態のいずれかに保持することができる。二安定のカムシステムは、米国特許3,205,863号や米国特許3,819,282号が示すように、「クリックペン」としていろいろなものが知られている。
【００６１】
引込みアクチュエータ１５０は、内部ボディ６０の第１端部６１に固定されている。引込みばね１５２は、リング状の止め壁１４と大きな外部突起６５との間に配置され、塗布手段２０に力を加え、外部ボディ１０の内部の引込み状態に位置させている。後でさらに詳しく述べるが、引込みアクチュエータ１５０は、塗布手段２０を引込み状態と引伸ばし状態との間に動かす。
【００６２】
引込み弁アセンブリ５０は、外部ボディ１０の第２端部１２に固定した外部引込み弁ボディ１６０を含む。貫通した細孔１６１が、外部引込み弁ボディ１６０の内部にある。角張った切頭シリンダー１６２が、外部引込み弁ボディ１６０の内部にスライド可能に支持されている。角張った切頭シリンダー１６２は、フラップ弁として示す引込み弁１６４を旋回可能に支持している。引込み弁１６４は、その引込み弁１６４から張り出した張出し部１６６を含む。
【００６３】
引込み弁アセンブリ５０は、引込みアクチュエータ１５０と協力し合って、引込み弁１６４の開閉を行う。角張った切頭シリンダー１６２は、ソケット１６８を含み、そのソケット１６８により、内部ボディ６０上の小さなリング状の外部突起６９にはまり合う。
【００６４】
図１２〜図１５は、引込み可能な流動体塗布装置５の互いに異なった作動状態を示す。今までの弁作動の液塗布装置で保護キャップを取り外すのに両手を必要としていたのに対し、改良された流動体塗布装置５においては、その必要性を除去する。
【００６５】
図１２は、閉じ状態にある引込み弁１６４を伴う、引込み可能な流動体塗布装置５の側面図である。二安定のカムシステム４５が、塗布手段を外部ボディ１０の内部に保っている。引込み弁１６４は、ソケット１６８によって閉じ状態を維持し、塗布液６が塗布具８０の先端の端部８２から蒸発しないようにしている。
【００６６】
図１３は、開き状態にある引込み弁１６４を伴う、図１２と同様の側面図である。引込みアクチュエータ１５０を少し押下げると、引込みばね１５２の力に抗して塗布手段２０を外部ボディ１０の前の方に動かす。それに付随して、塗布手段２０は、ソケット１６８を通して角張った切頭シリンダー１６２を前方にスライドすることによって、引込み弁１６４を開く。引込み弁１６４から張り出す張出し部１６６は、外部引込み弁ボディ１６０にある細孔１６１の中に入る。
【００６７】
図１４は、開き状態にある引込み弁１６４と、伸びた状態にある塗布手段２０とを伴う、図１３と同様の側面図である。引込みアクチュエータ１５０を引き続いて押下げると、引込みばね１５２の力に抗して塗布手段２０を外部ボディ１０の前の方に動かし、引込み機構４０の二安定のカムシステム４５が、伸びた状態にあるとき、塗布手段２０をロックするに至る。塗布手段２０は、今や、塗布液６を分与する位置にある。この点、図１６および図１７にさらに示している。
【００６８】
図１５は、開き状態にある引込み弁１６４と、伸びた状態にある塗布手段２０とを伴う、図１４と同様の側面図である。図１５のものでは、塗布具８０が押下げられた状態であり、塗布液６が塗布具８０の先端の端部８２から供給可能である。
【００６９】
引込みアクチュエータ１５０の第２の押下げをすると、引込みばね１５２の力により、塗布手段２０を引込み状態に動かす。塗布手段２０の引込みがあると、角張った切頭シリンダー１６２を後方にスライドさせてソケット１６８によって引込み弁１６４を閉じる。引込み弁１６４から張り出した張出し部１６６は、外部引込み弁ボディ１６０にかみ合って、引込み弁１６４を閉じる。引込み弁１６４が閉じることにより、塗布液６が塗布具８０の先端の端部８２から蒸発しないことになる。
【００７０】
図１６は、図１４の引込み可能な流動体塗布装置５が表面８の上方に位置する形態を示す側断面図であり、供給弁３０は閉じた状態であり、供給タンク７０から塗布液６が流れないようになった状態を示す。
【００７１】
図１７は、図１６と同様の側断面図であるが、供給弁３０は開いた状態であり、供給タンク７０から排出タンク７４へと塗布液６を流すことができる状態であり、塗布具８０の先端の端部８２から塗布液６を供給可能である。
【００７２】
図１８〜図２２は、引込み可能な流動体塗布装置５の塗布手段２２０の第２の実施例を示す。塗布手段２２０は、第１端部２６１と第２端部２６２間に伸びる内部ボディ２６０を備える。側壁２６３によって、第１端部２６１と第２端部２６２間を連絡する内部通路２６４が定まる。内部ボディ２６０は、第１端部２６１および第２端部２６２に隣接する部分に、第１端部部分２６１Ａおよび第２端部部分２６２Ａを定める。それらの第１端部部分２６１Ａと第２端部部分２６２Ａとの間に、中間部分２６３Ａが位置する。
【００７３】
第２実施例の塗布手段２２０は、図６〜図１１に示した塗布手段２０と同一の外部表面をもつ。内部ボディ２６０の第１端部２６１に近いところに、側壁２６３の外側表面から広がるようにして、リング状の大きな外部突起2６５がある。内部ボディ２６０の第２端部２６２に近いところに、側壁２６３の外側表面から広がるようにして、リング状の小さな外部突起2６９がある。
【００７４】
図２１および図２２が最もよく示すように、リング状の内部突起２６６が、側壁２６３の内側表面から張り出している。中間部分２６３Ａの内側表面２６４には、肩２６８が形作られている。内部ボディ２６０の第１端部部分２６１Ａの先端は、結合した塗布具２８０および供給弁２３０が、スライド可能にはまるようになっている。内部ボディ２６０の第２端部分２６２Ａは、供給タンク２７０内の塗布液６を貯えるようになっている。インターロック２７２によって、塗布具２８０と供給弁２３０とが、内部ボディ２６０の第１端部部分２６１Ａの先端の内部に納まっている。
【００７５】
図２１が最もよく示すように、塗布具２８０は、基部側の端部２８１と先端側の端部２８２との間に伸びている。塗布具２８０は、一般的に円柱形状の部材であり、基部側の端部２８１と先端側の端部２８２との間の円柱径２８３を定める。この実施例では、無孔性の材料で塗布具２８０を形作っている。
【００７６】
図２１および図２２は、弁エレメント３００、弁シール３１０、ばね３２０および管状シール３３０を含む供給弁２３０を示す。インターロック２７２がリング状の内部突起２６６と肩２６８にかみ合うことにより、塗布具２８０および供給弁２３０を内部ボディ２６０の内部に添えている。弁エレメント３００の外径は弁シール３１０の内径よりも大きく、弁エレメント３００がシールを形作るようになっている。
【００７７】
管状シール３３０は、弁シール３１０から一体成形品として伸びる。管状シール３３０は、液塗布具２８０の円柱の径２８３をもつ滑りシールを与える。液塗布具２８０の円柱の径２８３と管状シール３３０との間のスペースによって、塗布具２８０に対して塗布液６を与えることができる。
【００７８】
図２１は、ばね３２０の力を受けることにより、閉じ状態になった供給弁３３０を示す。供給弁３３０が閉じ状態のとき、弁エレメント３００は、ばね３２０によって弁シール３１０に着座している。
【００７９】
図２２は、塗布具２８０の押下げにより、開き状態にある供給弁２３０を示す。表面に対して塗布具２８０を押し下げると、供給ばね３２０が圧縮され、弁エレメント３００が弁シール３１０から動き、塗布液６が供給タンク２７０から塗布具２８０の先端側の端部８２へと移動する。塗布具２８０にある塗布液６は、マーク付け、塗りあるいはブラシの動きにより、表面に移る。
【００８０】
図２３〜図２７は、引込み可能な流動体塗布装置５の塗布手段４２０の第３の実施例を示す。塗布手段４２０は、第１端部４６１と第２端部４６２間に伸びる内部ボディ４６０を備える。側壁４６３によって、第１端部４６１と第２端部４６２間を連絡する内部通路４６４が定まる。内部ボディ４６０は、第１端部４６１および第２端部４６２に隣接する部分に、第１端部部分４６１Ａおよび第２端部部分４６２Ａを定める。それらの第１端部部分４６１Ａと第２端部部分４６２Ａとの間に、中間部分４６３Ａが位置する。
【００８１】
第３実施例の塗布手段４２０は、図６〜図１１に示した塗布手段２０と同一の外部表面をもつ。内部ボディ４６０の第１端部４６１に近いところに、側壁４６３の外側表面から広がるようにして、リング状の大きな外部突起４６５がある。また、内部ボディ４６０の第２端部４６２に近いところに、側壁４６３の外側表面から広がるようにして、リング状の小さな外部突起４６９がある。
【００８２】
図２６および図２７が最もよく示すように、リング状の内部突起４６６が、側壁４６３の内側表面から張り出している。中間部分４６３Ａの内側表面４６４には、肩４６８が形作られている。内部ボディ４６０の第１端部部分４６１Ａは、塗布具４８０がスライド可能にはまるようになっている。内部ボディ４６０の第２端部分４６２Ａは、供給タンク４７０内の塗布液６を貯えるようになっている。内部ボディ４６０の中間部分４６３Ａは、供給弁４３０を受け入れるようになっている。インターロック４７２によって、塗布具４８０と供給弁４３０とが、内部ボディ４６０の内部に納まっている。
【００８３】
図２１が最もよく示すように、塗布具４８０は、基部側の端部４８１と先端側の端部４８２との間を伸びている。塗布具４８０は、一般的に円柱形状の部材であり、基部側の端部４８１と先端側の端部４８２との間に円柱径４８３を定める。塗布具４８０については、たとえばポリエステルや他の同様な材料であって、原形を保つことができる類似の特性をもつものによって、強く固めた形態で作る。その形態は、塗布液６で湿るが、毛管作用により塗布液６が基部側の端部４８１から先端側の端部４８２へと通過できるような形態である。それとは別に、塗布具４８０をその外側表面に沿って縦に伸びる複数の溝をもつ無孔性の材料で構成することもできる。
【００８４】
図２７および図２７は、弁エレメント５００、弁シール５１０、およびばね５２０を含む供給弁４３０を示す。インターロック４７２がリング状の内部突起４６６と肩４６８にかみ合うことにより、弁体４９０を内部ボディ４６０に添えている。塗布具４８０の基部側の端部４８１は、弁エレメント５００に直接かみ合っている。
【００８５】
図２６は、ばね５２０の力を受けることにより、閉じ状態になった供給弁５３０を示す。供給弁５３０が閉じ状態のとき、弁エレメント５００は、ばね５２０によって弁シール５１０に着座している。弁シール５１０の着座により、塗布液６が供給タンク４７０から塗布具４８０へと流れることを防ぐ。
【００８６】
図２７は、塗布具４８０の押下げにより、開き状態にある供給弁４３０を示す。表面に対して塗布具４８０を押し下げると、供給ばね５２０が圧縮され、弁エレメント５００が弁シール５１０から動き、塗布液６が供給タンク２７０から塗布具４８０へと移動する。塗布液６は、毛管作用により、基部側の端部４８１から塗布具４８０の先端側の端部４８２へと移動する。塗布具４８０にある塗布液６は、マーク付け、塗りあるいはブラシの動きにより、表面に移る。
【００８７】
この発明の好ましい形態についてある程度詳しく説明したが、好ましい形態の説明は、あくまで例証である。具体的な構成、組合せおよび配置について、この発明の考え方および範囲から離れることなく、多くの変形をすることができる。
【図１】
2019526470.tif 000003
【図２】
2019526470.tif 000004
【図３】
2019526470.tif 000005
【図４】
2019526470.tif 000006
【図５】
2019526470.tif 000007
【図６】
2019526470.tif 000008
【図７】
2019526470.tif 000009
【図８】
2019526470.tif 000010
【図９】
2019526470.tif 000011
【図１０】
2019526470.tif 000012
【図１１】
2019526470.tif 000013
【図１２】
2019526470.tif 000014
【図１３】
2019526470.tif 000015
【図１４】
2019526470.tif 000016
【図１５】
2019526470.tif 000017
【図１６】
2019526470.tif 000018
【図１７】
2019526470.tif 000019
【図１８】
2019526470.tif 000020
【図１９】
2019526470.tif 000021
【図２０】
2019526470.tif 000022
【図２１】
2019526470.tif 000023
【図２２】
2019526470.tif 000024
【図２３】
2019526470.tif 000025
【図２４】
2019526470.tif 000026
【図２５】
2019526470.tif 000027
【図２６】
2019526470.tif 000028
【図２７】
2019526470.tif 000029
【国際調査報告】
2019526470.tif 000030